(57)【要約】【課題】パケットを伝送する回線の帯域を圧迫すること無しにさらに他の情報を伝送できること。【解決手段】送信装置１０１は、第１のデータを８Ｂ／１０Ｂ変換して送信する変換部１０２を有する。制御部１０３は、第１の通信モードでは、変換部１０２に対し、第１のランニング・ディスパリティ（ＲＤ）のルールに従って第１のデータを変換させ、第１のデータの送信とともに第２のデータを送信する第２の通信モードでは、第２のＲＤのルールに切り替え、変換部１０２に対し、第２のデータの内容を含む８Ｂ／１０Ｂ変換を行わせる。【選択図】図１
2017220835.tif 000002
【特許請求の範囲】
【請求項１】
第１のデータを８Ｂ／１０Ｂ変換して送信する変換部を有する送信装置において、
第１の通信モードでは、前記変換部に対し、第１のランニング・ディスパリティ（ＲＤ）のルールに従って前記第１のデータを変換させ、
前記第１のデータの送信とともに第２のデータを送信する第２の通信モードでは、第２のＲＤのルールに切り替え、前記変換部に対し、前記第２のデータの内容を含む８Ｂ／１０Ｂ変換を行わせる制御部を備えたことを特徴とする送信装置。
【請求項２】
前記制御部は、
前記第１の通信モードでは、前記変換部に対し、前記ＲＤの−と＋のシンボルを交互に送信させ、
前記第２の通信モードでは、前記変換部に対し、前記ＲＤの−と＋のシンボルの送信順を変更し、前記ＲＤの−と＋のシンボルをあらかじめ定めた組み合わせ順で送信させることを特徴とする請求項１に記載の送信装置。
【請求項３】
前記制御部は、前記第２の通信モードでは、
前記第２のデータを前記第１のデータの送信タイミングと同期または非同期で送信し、
前記同期時には、前記第１のデータのプリアンブルを検出して前記第１のデータの先頭から前記第２のデータを含み送信させ、
前記非同期時には、前記第１のデータに対し任意のタイミングで前記第２のデータを含み送信させることを特徴とする請求項１または２に記載の送信装置。
【請求項４】
前記制御部は、前記第２の通信モードでは、
前記第２のデータの送信時には、前記第２のデータのスタートデリミタ、種別、レングス、情報の内容、エンドデリミタ、ＣＲＣの各情報を、前記ＲＤの−と＋のシンボルをあらかじめ定めた組み合わせ順で送信させることを特徴とする請求項２または３に記載の送信装置。
【請求項５】
前記制御部は、前記第２のデータとして、装置間またはＬＩＵ（Ｌｉｎｅ  Ｉｎｔｅｒｆａｃｅ  Ｕｎｉｔ）間でやりとりする制御情報を送信または受信することを特徴とする請求項１〜４のいずれか一つに記載の送信装置。
【請求項６】
前記制御部は、前記制御情報として、受信装置側の帯域制御情報を受信することを特徴とする請求項５に記載の送信装置。
【請求項７】
前記制御部は、前記制御情報として、受信装置側のクラス単位のバッファ割り当ての制御情報を受信することを特徴とする請求項５に記載の送信装置。
【請求項８】
前記制御部は、前記制御情報として、前記ＬＩＵ間でやりとりする付加情報を送信することを特徴とする請求項５に記載の送信装置。
【請求項９】
送信装置から送信された第１のデータを受信し、１０Ｂ／８Ｂ変換する変換部を有する受信装置において、
第１の通信モードでは、前記変換部に対し、第１のランニング・ディスパリティ（ＲＤ）のルールに従って前記第１のデータを変換させ、
前記第１のデータの受信とともに第２のデータを受信する第２の通信モードでは、第２のＲＤのルールに切り替え、前記変換部に対し、前記第１のデータから前記第２のデータの内容を抽出する１０Ｂ／８Ｂ変換を行わせる制御部を備えたことを特徴とする受信装置。
【請求項１０】
前記制御部は、
前記第１のデータの受信時に、前記第２のデータのスタートデリミタを検出することにより、前記第２のデータの受信処理を行うことを特徴とする請求項９に記載の受信装置。
【請求項１１】
第１のデータを８Ｂ／１０Ｂ変換して送信する変換部を有する送信装置と、前記第１のデータを受信し、１０Ｂ／８Ｂ変換する変換部を有する受信装置とを含むパケット伝送システムにおいて、
前記送信装置は、
第１の通信モードでは、前記変換部に対し、第１のランニング・ディスパリティ（ＲＤ）のルールに従って前記第１のデータを変換させ、
前記第１のデータの送信とともに第２のデータを送信する第２の通信モードでは、第２のＲＤのルールに切り替え、前記変換部に対し、前記第２のデータの内容を含む８Ｂ／１０Ｂ変換を行わせる制御部を備え、
前記受信装置は、
前記第１の通信モードでは、前記変換部に対し、第１のランニング・ディスパリティ（ＲＤ）のルールに従って前記第１のデータを変換させ、
前記第１のデータの受信とともに第２のデータを受信する第２の通信モードでは、第２のＲＤのルールに切り替え、前記変換部に対し、前記第１のデータから前記第２のデータの内容を抽出する１０Ｂ／８Ｂ変換を行わせる制御部を備えたことを特徴とするパケット伝送システム。
【発明の詳細な説明】
【技術分野】
【０００１】
本発明は、パケットを伝送する送信装置、受信装置およびパケット伝送システムに関する。
【背景技術】
【０００２】
パケットを高速シリアル伝送するイーサネット（Ｅｔｈｅｒｎｅｔ、登録商標）、ＰＣＩ（Ｐｅｒｉｐｈｅｒａｌ  Ｃｏｍｐｏｎｅｎｔ  Ｉｎｔｅｒｃｏｎｎｅｃｔ）Ｅｘｐｒｅｓｓ等では、８Ｂ／１０Ｂ変換と呼ばれるコード化方式が採用されている。８Ｂ／１０Ｂ方式では、２５６種類の８ビットのデータと、Ｋキャラクタと呼ばれる制御情報を多重化し、ルックアップテーブルＬＵＴを用いて１０ビットのシンボルコードに変換して伝送する（例えば、下記特許文献１〜３参照。）。
【０００３】
８Ｂ／１０Ｂ変換を行う装置間のデータ通信において装置固有の制御情報等の伝送は、パケット（データ）とは別経路を使って送信する方法がある。この場合、８Ｂ処理においてデータを全ての領域で挿入し、８Ｂ／１０Ｂの符号変換を行い、１０ビットパターンを出力する。
【０００４】
このほか、パケットの先頭に装置固有の制御情報を付加、または、パケット間のインタフレームギャップ（ＩＦＧ）に制御情報パケットとして挿入する方法がある。この場合、８Ｂ／１０Ｂ変換前にデータの空き（未使用）領域を利用して制御情報を挿入した後、８Ｂ／１０Ｂの符号変換を行い１０ビットパターンの制御情報（ＲＤ＋、ＲＤ−のいずれか）を出力する。
【先行技術文献】
【特許文献】
【０００５】
【特許文献１】特開２００８−１４８２２１号公報
【特許文献２】特開２００１−３０８７１１号公報
【特許文献３】国際公開第２０１０／１４６７１４号
【発明の概要】
【発明が解決しようとする課題】
【０００６】
しかし、装置間データ通信で別経路を設ける方法では、データ通信の伝送路のほかに別途、装置間にケーブル等の通信回線、およびインタフェース回路を追加する必要が生じる。また、パケットに制御情報を付加または挿入する方法では、８Ｂ処理で制御情報を追加しようとした場合、制御情報分のデータ量が増加するため、データ（ユーザ）帯域を消費（ネットワーク回線を圧迫）する問題が生じる。なお、１０Ｂ処理で制御情報を追加しようとした場合、８Ｂ／１０Ｂ変換を行う装置では１０ビットパターンが常時、連続して送信されることになるため、制御情報の追加は困難である。
【０００７】
一つの側面では、本発明は、パケットを伝送する回線の帯域を圧迫すること無しにさらに他の情報を伝送できることを目的とする。
【課題を解決するための手段】
【０００８】
一つの案では、送信装置は、第１のデータを８Ｂ／１０Ｂ変換して送信する変換部を有する送信装置において、第１の通信モードでは、前記変換部に対し、第１のランニング・ディスパリティ（ＲＤ）のルールに従って前記第１のデータを変換させ、前記第１のデータの送信とともに第２のデータを送信する第２の通信モードでは、第２のＲＤのルールに切り替え、前記変換部に対し、前記第２のデータの内容を含む８Ｂ／１０Ｂ変換を行わせる制御部を備えたこと要件とする。
【発明の効果】
【０００９】
一つの実施形態によれば、パケットを伝送する回線の帯域を圧迫すること無しにさらに他の情報を伝送できるという効果を奏する。
【図面の簡単な説明】
【００１０】
【図１】図１は、本発明の実施の形態１にかかるパケット伝送システムの構成例を示すブロック図である。
【図２】図２は、実施の形態１にかかるパケット伝送システムで伝送するパケットフォーマットの例を示す図である。
【図３】図３は、実施の形態１にかかるパケット伝送システムのネットワーク構成例を示す図である。
【図４】図４は、実施の形態１にかかるパケット伝送システムで用いる制御情報の送信タイミングの例を示す図である。
【図５】図５は、実施の形態１にかかるパケット同期設定時の制御情報のＲＤ変換選択例を示す図表である。
【図６】図６は、実施の形態１にかかるパケット非同期設定時の制御情報のＲＤ変換選択例を示す図表である。
【図７】図７は、実施の形態１にかかるパケット伝送システムの制御情報の送受信処理例を示すフローチャートである。
【図８】図８は、実施の形態１にかかるパケット伝送システムの制御情報の内容例を示す図表である。
【図９】図９は、実施の形態２にかかるデータおよび制御情報の伝送構成例を示す図である。
【図１０】図１０は、既存のリンクアグリゲーション・ロードバランサの構成例を示す図である。
【図１１】図１１は、実施の形態３にかかるリンクアグリゲーション・ロードバランサの構成例を示す図である。
【図１２】図１２は、実施の形態３で用いる制御情報フォーマットの例を示す図である。
【図１３】図１３は、既存のクラス単位のバッファ制御の構成例を示す図である。
【図１４】図１４は、実施の形態４にかかるクラス単位のバッファ制御の構成例を示す図である。
【図１５】図１５は、実施の形態４で用いる制御情報フォーマットの例を示す図である。
【図１６】図１６は、既存のＬＩＵ間の付加情報伝送の構成例を示す図である。
【図１７】図１７は、実施の形態５で用いる制御情報フォーマットの例を示す図である。
【図１８】図１８は、実施の形態５にかかるＬＩＵ間の付加情報伝送の構成例を示す図である。
【図１９】図１９は、実施の形態５で用いる制御情報フォーマットの例を示す図である。
【図２０】図２０は、既存技術によるＬＩＵ間の主信号と別の伝送路で付加情報を送信する構成例を示す図である。
【図２１】図２１は、実施の形態６にかかる別線情報を制御情報として伝送する構成例を示す図である。
【図２２】図２２は、実施の形態６で用いる制御情報フォーマットの例を示す図である。
【図２３】図２３は、既存技術によるＬ２処理の構成例を示す図である。
【図２４】図２４は、実施の形態７にかかるＬ２処理の構成例を示す図である。
【図２５】図２５は、実施の形態７で用いる制御情報フォーマットの例を示す図である。
【発明を実施するための形態】
【００１１】
（実施の形態１）
図１は、本発明の実施の形態１にかかるパケット伝送システムの構成例を示すブロック図である。パケット伝送システム１００は、送信装置（装置Ａ）１０１と、受信装置（装置Ｂ）１２１と、を含み、送信装置１０１と受信装置１２１とは、伝送路（ネットワーク回線）１３０を介して接続される。
【００１２】
以下の説明では、イーサネット（Ｅｔｈｅｒｎｅｔ、登録商標）等のネットワークシステムにおける送信装置１０１と受信装置１２１との間のデータ（パケット）通信にかかる構成例を説明する。送信装置１０１は、送信するパケットのデータ（８Ｂデータ）を、ランニング・ディスパリティのルール（ＲＤ：＋のデータを選択するか−のデータを選択するかによって、１ｏｒ０の情報を付加する方式）に従って、１０Ｂ変換して受信装置１２１に送信する。
【００１３】
そして、実施の形態１では、送信するパケットに関係する（あるいは関係しない）制御情報をパケットに含ませて送信する。詳細は後述するが、制御情報送信時には、ＲＤのルールを切り替えることで、制御情報をパケットに含ませる形で送信する。
【００１４】
実施の形態１では、送信装置１０１と受信装置１２１との間のデータ（パケット）の送信タイミングに対し、１．制御情報を同期したタイミングで送信する場合と、２．制御情報を非同期のタイミングで送信する場合と、を含む。
【００１５】
送信装置１０１は、入力される８Ｂデータ（パケット）を１０Ｂデータに変換する変換部１０２を含み、受信装置１２１は、伝送路１３０を介して入力される１０Ｂデータを８Ｂデータに変換する変換部１２２を含む。送信装置１０１の変換部１０２は、送信する１０Ｂデータに含むＲＤ符号を生成する機能を有し、受信装置１２１の変換部１２２は、受信した１０Ｂデータからランニング・ディスパリティ（ＲＤ：Ｒｕｎｎｉｎｇ  Ｄｉｓｐａｒｉｔｙ）符号を抽出する機能を有する。
【００１６】
実施の形態１では、送信装置１０１側に８Ｂ／１０Ｂ変換（１０Ｂ変換）に関する各種制御を行う制御部１０３を設ける。また、受信装置１２１側に１０Ｂ／８Ｂ変換（８Ｂ変換）に関する各種制御を行う制御部１２３を設ける。
【００１７】
送信装置１０１の制御部１０３は、プリアンブル検出部１０４と、制御情報タイミング生成部１０５と、情報生成部１０６と、結合部１０７と、ＣＲＣ生成部１０８と、を含む。プリアンブル検出部１０４は、８Ｂデータのプリアンブル（パケット同期をとるためのフィールド）を検出する。プリアンブル検出部１０４は、上記１．制御情報をデータに同期して送信する場合に起動する。
【００１８】
制御情報タイミング生成部１０５は、プリアンブル検出部１０４により検出されたパケット先頭タイミングと、パケット同期設定の情報入力に基づき、制御情報タイミングを生成する。パケット同期設定の情報としては、例えば、１．同期時に送信するデータ（パケット）の先頭にあわせて制御情報を出力する、２．非同期時に任意のタイミングで制御情報を出力する、３．制御情報を出力しない、各設定がある。
【００１９】
情報生成部１０６は、制御情報に関する各種情報を生成するものであり、スタートデリミタパターン生成部１０６ａと、制御情報の種別を示す種別生成部１０６ｂと、制御情報のレングスを生成する制御情報レングス生成部１０６ｃと、を含む。さらに、制御情報を生成する制御情報生成部１０６ｄと、制御情報のエンド位置を示すエンドデリミタパターン生成部１０６ｅと、を含む。
【００２０】
結合部１０７は、情報生成部１０６により生成された制御情報に関する各種の情報を結合する。ＣＲＣ生成部１０８は、結合部１０７で結合したデータにＣＲＣを付加し、変換部１０２に出力する。結合部１０７は、変換部１０２に対し、制御情報挿入イネーブル信号を出力する。ＣＲＣ生成部１０８は、変換部１０２にＲＤ符号生成時のＲＤ符号極性設定を出力する。
【００２１】
受信装置１２１の変換部１２２は、ＲＤ符号抽出の情報を制御部１２３に出力する。制御部１２３は、制御情報に含まれる各種情報を検出する検出部１２４と、制御情報抽出部１２５と、ＣＲＣチェック部１２６と、を含む。
【００２２】
検出部１２４は、制御情報のスタート位置を示すスタートデリミタパターンを検出するスタートデリミタパターン検出部１２４ｄと、制御情報の種別を検出する種別検出部１２４ｃ、を含む。さらに、制御情報のレングスを検出する制御情報レングス検出部１２４ｂと、制御情報のエンド位置を検出するエンドデリミタパターン検出部１２４ａと、を含む。
【００２３】
制御情報抽出部１２５は、検出部１２４で検出された制御情報に関する各種情報に基づき、制御情報を抽出する。ＣＲＣチェック部１２６は、制御情報に含まれるＣＲＣを検出し、ＣＲＣチェックを行う。
【００２４】
図１に示した送信装置１０１の制御部１０３、および受信装置１２１の制御部１２３は、それぞれＦＰＧＡ（Ｆｉｅｌｄ−Ｐｒｏｇｒａｍｍａｂｌｅ  Ｇａｔｅ  Ａｒｒａｙ）を用いて構成することができる。このほか、これら制御部１０３，１２３は、それぞれＣＰＵがＲＯＭ等に格納された制御プログラムを読み出して実行し、ＲＡＭを作業エリアとして使用することにより、制御部１０３，１２３の機能を実現することもできる。
【００２５】
図２は、実施の形態１にかかるパケット伝送システムで伝送するパケットフォーマットの例を示す図である。図２（ａ）に示すパケット２０１は、前後のアイドルパターンを挟んで送信される、例えばイーサネットのフレーム構成を有する。
【００２６】
図２（ｂ）に示すようにパケット２０１は、先頭のプリアンブル／ＳＦＤ（Ｓｔａｒｔ  ｏｆ  Ｆｒａｍｅ  Ｄｅｌｉｍｉｔｅｒ）２１１と、宛先アドレスＤＡ２１２と、送信元アドレスＳＡ２１３と、タイプ／レングス２１４と、を含む。さらに、可変のデータ２１５と、ＦＣＳ（Ｆｒａｍｅ  Ｃｈｅｃｋ  Ｓｅｑｕｅｎｃｅ）２１６と、を含む。
【００２７】
実施の形態１では、パケット２０１に制御情報を付与し、１．同期時には送信するパケット２０１の先頭位置から制御情報を挿入する。また、２．非同期時には、パケット２０１の任意の位置から制御情報を挿入する。この挿入とは、データの多重等を意味するものではなく、ＲＤの符号の組み合わせによりパケット２０１に含まれる制御情報を示すものである。
【００２８】
図３は、実施の形態１にかかるパケット伝送システムのネットワーク構成例を示す図である。図３（ａ）に示すパケット伝送システム３００では、光ファイバ等の伝送路１３０上に複数の伝送装置３０１を配置している。そして、ＤＷＤＭ（Ｄｅｎｓｅ  Ｗａｖｅｌｅｎｇｔｈ  Ｄｉｖｉｓｉｏｎ  Ｍｕｌｔｉｐｌｅｘｉｎｇ）のネットワークにより伝送装置３０１は、他の伝送装置３０１との間でデータ（パケット）を送受信する。各伝送装置３０１（イーサネット装置Ａ）は、上述した送信装置１０１と、受信装置１２１と、を含む。
【００２９】
また、図３（ａ）には、各伝送装置（イーサネット装置Ａ）３０１を介して、ＴＤＭ（Ｔｉｍｅ  Ｄｉｖｉｓｉｏｎ  Ｍｕｌｔｉｐｌｅｘｉｎｇ）によりデータ（パケット）を送受信する伝送装置３０２のネットワークが示されている。各伝送装置３０２（イーサネット装置Ｂ，Ｃ，Ｄ）は、上述した送信装置１０１と、受信装置１２１と、を含む。伝送装置３０１，３０２は、図１に示した各構成を有してパケット（データ）の送受信を行う。
【００３０】
また、図３（ｂ）には、各伝送装置３０１，３０２（図１の送信装置１０１，受信装置１２１に相当）のハードウェア構成例を示す。伝送装置３０１，３０２は、光電変換部３１１と、データ変換部３１２と、ＰＨＹ（ＰＨＹｓｉｃａｌ  ｌａｙｅｒ）部３１３と、ＭＡＣ（Ｍｅｄｉａ  Ａｃｃｅｓｓ  Ｃｏｎｔｒｏｌ  ａｄｄｒｅｓｓ）部３１４と、を含む。さらに、制御部３１５と、メモリ３１６と、を含む。
【００３１】
光電変換部３１１は、伝送路１３０上の光信号（受信データ）を電気信号に変換するＯ／Ｅと、電気信号（送信データ）を光信号に変換するＥ／Ｏの機能を含む。データ変換部３１２は、受信データのシリアル／パラレル変換を行うＳ／Ｐと、送信データのパラレル／シリアル変換を行うＰ／Ｓの機能を含む。ＰＨＹ部３１３は、送受信データの物理層（レイヤ１）のデータ処理を行う。ＭＡＣ部３１４は、送受信データのＭＡＣ層（レイヤ２）のデータアクセスに関する処理を行う。送受信データは、メモリ３１６の例えばＲＡＭに格納される。
【００３２】
制御部３１５は、伝送装置３０１，３０２の全体を統括制御し、図３においては、ＰＨＹ部３１３およびＭＡＣ部３１４に対する制御を行う。この制御部３１５は、ＣＰＵ等により構成され、メモリ３１６の例えばＲＯＭに格納された制御プログラムを実行し、この統括制御の作業エリアとしてメモリ３１６の例えばＲＡＭを用いることで、制御部３１５の機能を実現できる。
【００３３】
実施の形態１の制御情報の送受信に関する制御は、例えば、ＦＰＧＡからなるＰＨＹ部３１３が行う一機能である。
【００３４】
実施の形態１における８Ｂ／１０Ｂ変換では、データ復元、エラー抑制のために、データの値“０”“１”の個数差や連続性を保つために、８ビット２５６通りのデータに１符合語あたり２通りの１０ビットパターンを割り当てる。“０”“１”の個数差に応じてＲｕｎｎｉｎｇ  Ｄｉｓｐａｒｉｔｙ（ＲＤ）の２通りの１０ビットパターン（ＲＤ＋、ＲＤ−）を使い分ける規格に基づいて、レイヤ１（物理層）で８Ｂ／１０Ｂ変換を行う。また、レイヤ２の８ｂｉｔデータに対応する１０ビットパターン（ＲＤ＋、ＲＤ−）をレイヤ１で常に出力する。
【００３５】
図４は、実施の形態１にかかるパケット伝送システムで用いる制御情報の送信タイミングの例を示す図である。伝送装置３０１，３０２が送信するデータおよび制御情報の送信タイミングを示す（図中横方向が時間に相当）。
【００３６】
実施の形態１では、送信装置（装置Ａ）１０１は、図４（ａ）〜（ｃ）に示す各タイミングを任意に選択して制御情報を送信し、いずれも単一の伝送路１３０上で１０Ｂデータとしてパケットと制御情報とを伝送する。
【００３７】
図４（ａ）は、１．パケット同期の場合を示し、パケット２０１の送信タイミングと同時に制御情報４０１を送信する。図４（ｂ），（ｃ）は、いずれも２．パケット非同期の場合を示し、送信するパケット２０１の送信タイミングからずれた異なるタイミングで制御情報４０１を送信する。図４（ｂ），（ｃ）の場合、例えば、パケット２０１に関係しない情報（例えば伝送装置３０１，３０２）の状態などを制御情報４０１として送信することに向いている。ここで、図４（ｃ）は、例えば、制御情報４０１の送信タイミングの設定無しの場合にも相当し、パケット２０１を送信しないアイドルの期間に制御情報４０１を送信する状態を示す。
【００３８】
そして、実施の形態１によるパケット伝送システムは、主に以下の機能を含む。
（１）送信装置（装置Ａ）１０１と、受信装置（装置Ｂ）１２１との間で、８Ｂ／１０Ｂ変換されたパケット（データ）の通信を行う。
【００３９】
（２）パケットを送信する送信装置（装置Ａ）１０１は、以下の機能を有する。
ａ）１０ｂｉｔの符号パターンの中から“０”と“１”の数がほぼ同じになるようなパターンを選択し、８Ｂ／１０Ｂ変換を行う。
ｂ）８ｂｉｔのデータから１０ｂｉｔのデータ変換はテーブル変換され、各パターンに対してＲＤ−とＲＤ＋の２種類のシンボルが存在する。例えば、８ｂｉｔデータが０１（ＨＥＸ）の場合は、ＲＤ−：０１１１０１  ０１００（ＢＩＮ）、ＲＤ＋：１０００１０  １０１１（ＢＩＮ）のシンボルが割り当てられている。００（ＨＥＸ）〜ＦＦ（ＨＥＸ）に対して、ＲＤ−とＲＤ＋シンボルが割り当てられているために５１２個のシンボルが存在する。
【００４０】
ｃ）第１の通信モード（通常時、すなわち既存の８Ｂ／１０Ｂ通信）では、第１のデータをＲＤ−のシンボルとＲＤ＋のシンボルを交互に送信している。実施の形態１では、送信のＲＤ−とＲＤ＋の組み合わせに独自の意味を持たせることで第１のデータとともに第２のデータ（制御情報）を送信する第２の通信モードを有する。すなわち、実施の形態１では、第２の通信モードにより送信する第２のデータ（制御信号）として、第１のデータと異なる個別の信号等は存在しない。
ｄ）制御情報を送信するタイミングはパケット同期のタイミング、パケット非同期のタイミング、パケット同期無しのタイミングで送信可能である。パケット非同期のタイミングとパケット同期無しのタイミングでは、全てのタイミングで常時送信可能である。パケット同期で制御情報を送信する場合は、パケットに関連付けたパケット補完の制御情報を送信する。パケット非同期で制御情報を送信する場合は、パケットには直接関連しない装置間の制御情報等を送信する。
ｅ）送信時は、通常のＲＤと制御情報の意味を含むＲＤとを切り替えて送信する。
【００４１】
（３）パケットを受信する受信装置（装置Ｂ）１２１は、以下の機能を有する。
ａ）１０Ｂ変換された前記パケットのデータ受信を行う。
ｂ）受信したパケットのデータから、制御情報を抽出する。
ｃ）抽出した制御情報に従って、受信したパケットのデータを処理する。
【００４２】
（制御情報の送信制御例）
次に、制御情報の送信制御例について説明する。送信装置（装置Ａ）１０１は、第１の通信モード時（以下、通常ＲＤのモードと称す）は、８Ｂデータが変換部１０２により既存のＲＤ法則（第１のＲＤのルール）に従い変換選択した１０Ｂデータを出力する。また、実施の形態１による制御情報をＲＤを使用して通信する第２の通信モード（以下、制御情報ＲＤのモードと称す）では、変換部１０２は、制御部１０３の処理で生成した制御情報を示すＲＤ法則（第２のＲＤのルール）に切り替えて、変換選択した１０Ｂデータを出力する。
【００４３】
パケット同期設定では、制御情報をパケットの先頭に合わせて出力する場合（パケット同期設定時）、フリーのタイミングで出力する場合（パケット非同期設定時）を選択できる。
【００４４】
パケット同期設定時（図４（ａ）参照）は、プリアンブル検出部１０４でプリアンブルを検出し、制御情報タイミング生成部１０５に通知する。制御情報タイミング生成部１０５は、プリアンブル検出タイミングを元に制御情報タイミングを生成し、パケットと同期させる。
【００４５】
パケット非同期設定時（図４（ｂ），（ｃ）参照）は、制御情報タイミング生成部１０５は、プリアンブル検出タイミングとは無関係に（フリーに）制御情報タイミングを生成する。
【００４６】
制御情報は、スタートデリミタパターン、種別、制御情報レングス、制御情報、エンドデリミタパターン、ＣＲＣを含む。
【００４７】
制御情報タイミング生成部１０５の整序情報タイミングに基づき、結合部１０７は、スタートデリミタパターン、種別、制御情報レングス、制御情報、エンドデリミタパターンを結合する。
【００４８】
ＣＲＣ生成部１０８は、結合部１０７で結合したデータにＣＲＣを付加し、変換部１０２に通知する。ＣＲＣはデータの正常性を確認するための情報であり、ＣＲＣ生成多項式は特に限定しない。結合部１０７またはＣＲＣ生成部１０８は、結合した制御情報に対して、制御情報の有効範囲を示す制御情報挿入イネーブル信号を変換部１０２に通知する。
【００４９】
ここで、実施の形態１では、例えば、スタートデリミタパターン“００１１００１１０１０１”（固定値１２ｂｉｔ）、エンドデリミタパターン：“１１００１１００１０１０”（固定値  １２ｂｉｔ）、制御情報レングス：５ｂｉｔとする。但し、本発明では、これらの値に限定されるものではない。レングス長を変更することで、制御情報量を変更することが可能である。
【００５０】
変換部１０２では、ＲＤ符号生成の機能において、制御情報挿入イネーブルが“０”（通常ＲＤ）の場合には通常のＲＤを変換選択し、制御情報挿入イネーブルが“１”（制御ＲＤ）の場合には、制御情報をＲＤに変換したデータを選択し出力する。
【００５１】
図５は、実施の形態１にかかるパケット同期設定時の制御情報のＲＤ変換選択例を示す図表である。変換部１０２が行うＲＤ変換内容について説明する。データ種別のうち、プリアンブル〜データは、図２の各項目に相当する。８ｂｉｔデータは、レイヤ２における値であり、ＤＡ，ＳＡ，データの値はランダム（任意）な値である。通常ＲＤは、通常ＲＤのモード時に選択されるＲＤであり、既存のＲＤの値に相当する。制御情報ＲＤは、実施の形態１の制御情報ＲＤのモード時に選択されるＲＤであり、制御情報の意味を含むＲＤである。選択ＲＤは、送信装置１０１の変換部１０２が送信するＲＤである。制御情報は、０，１の値の羅列（送信順番）により、制御情報内容に示す各制御情報（スタートデリミタパターン、種別、制御情報レングス、制御情報、エンドデリミタパターン、ＣＲＣ）を受信装置１２１に送信する。
【００５２】
図５の例において、データ種欄のＩＤＬＥ  ８ｂｉｔのデータは“ＢＣ”，“Ｃ５”のパターンである。データ種欄のＤＡ以降のパケットデータ８ｂｉｔは“０９”，“０Ａ”，…のインクリメントパターンの例を示したが実際はランダムな値である。制御情報内容欄の制御情報レングスは“１＿０１０１”、すなわち、制御情報は２１ｂｉｔ長である。制御情報内容欄の制御情報００〜２０の２１ｂｉｔは“０１”交番の例である。また、データ種欄のプリアンブルの先頭と制御情報内容欄のスタートデリミタの先頭が一致しているパケット同期設定時の場合を示す。
【００５３】
制御情報挿入イネーブル欄が“０”の場合は、変換部１０２は、通常ＲＤ欄の通りＲＤ−とＲＤ＋の交互で変換選択し出力する。制御情報挿入イネーブル欄が“１”の場合は、制御情報ＲＤ欄のＲＤが変換選択し出力する。制御情報挿入イネーブル欄が“１”となっているデータ種欄のプリアンブルの先頭データＡＡ（ＨＥＸ）の８ｂｉｔのデータより順次１０ｂｉｔにデータ変換を行う。
【００５４】
ＡＡ（ＨＥＸ）の８ｂｉｔデータに対する１０ｂｉｔのデータは、ＲＤ−、ＲＤ＋のいずれかのデータに変換可能である。この例では、スタートデリミタの先頭を“０”として生成するため、変換部１０２は、ＲＤ−に変換を行う。
【００５５】
次に、変換部１０２は、プリアンブルの２番目ＡＡ（ＨＥＸ）の８ｂｉｔのデータを１０ｂｉｔのデータに変換を行う。前記と同様に１０ｂｉｔのデータは、ＲＤ−、ＲＤ＋のいずれかのデータに変換可能である。対応するスタートデリミタの２番目を“０”として生成するため、変換部１０２は、ＲＤ−に変換を行う。
【００５６】
次に、変換部１０２は、プリアンブルの３番目０３（ＨＥＸ）の８ｂｉｔのデータを１０ｂｉｔのデータに変換を行う。前記と同様に１０ｂｉｔのデータは、ＲＤ−、ＲＤ＋のいずれかのデータに変換可能である。対応するスタートデリミタの３番目を“１”として生成するため、変換部１０２は、ＲＤ＋に変換を行う。
【００５７】
スタートデリミタの４番目以降、種別、制御情報レングス、制御情報、ＣＲＣは、上記同様の変換ルールに従い、変換部１０２は、制御情報挿入イネーブルが“１”となっているデータまで、順次変換を行う。
【００５８】
次に、図６は、実施の形態１にかかるパケット非同期設定時の制御情報のＲＤ変換選択例を示す図表である。図６において、データ種欄のＩＤＬＥ  ８ｂｉｔのデータは“ＢＣ”，“Ｃ５”のパターンである。データ種欄のＤＡ以降のパケットデータ８ｂｉｔは“０９”，“０Ａ”，…のインクリメントパターンの例を示したが実際はランダムな値である。制御情報内容欄の制御情報レングスは“１＿０１０１”、すなわち、制御情報は２１ｂｉｔ長である。制御情報内容欄の制御情報００〜２０の２１ｂｉｔは“０１”交番の例である。また、データ種欄のＩＤＬＥの途中から制御情報内容欄のスタートデリミタの先頭が開始しているパケット非同期設定時の場合を示す。
【００５９】
制御情報挿入イネーブル欄が“０”の場合は、変換部１０２は、通常ＲＤ欄に示した通りＲＤ−とＲＤ＋の交互で変換選択し出力する。制御情報挿入イネーブル欄が“１”の場合は、変換部１０２は、制御情報ＲＤ欄のＲＤを変換選択し出力する。制御情報挿入イネーブル欄が“１”となっているデータ種欄のＩＤＬＥデータＢＣ（ＨＥＸ）の８ｂｉｔのデータより順次１０ｂｉｔにデータ変換を行う。
【００６０】
ＢＣ（ＨＥＸ）の８ｂｉｔデータに対する１０ｂｉｔのデータは、ＲＤ−はＲＤ＋のいずれかのデータに変換可能である。この例では、スタートデリミタの先頭を“０”として生成するため、変換部１０２は、ＲＤ−に変換を行う。
【００６１】
パケット非同期設定時、スタートデリミタの開始位置はタイミングに応じて任意（図中縦軸方向）な位置で開始されることになる。
【００６２】
次に、変換部１０２は、ＩＤＬＥの２番目Ｃ５（ＨＥＸ）の８ｂｉｔのデータを１０ｂｉｔのデータに変換を行う。前記と同様に１０ｂｉｔのデータは、ＲＤ−、ＲＤ＋のいずれかのデータに変換可能である。対応するスタートデリミタの２番目を“０”として生成するため、変換部１０２は、ＲＤ−に変換を行う。
【００６３】
次に、ＩＤＬＥの３番目ＢＣ（ＨＥＸ）の８ｂｉｔのデータを１０ｂｉｔのデータに変換を行う。前記と同様に１０ｂｉｔのデータは、ＲＤ−、ＲＤ＋のいずれかのデータに変換可能である。対応するスタートデリミタの３番目を“１”として生成するため、変換部１０２は、ＲＤ＋に変換を行う。
【００６４】
スタートデリミタの４番目以降、種別、制御情報レングス、制御情報、ＣＲＣは、前記と同様な変換ルールに従い、制御情報挿入イネーブルが“１”となっているデータまで、順次変換を行う。
【００６５】
図５，図６を用いて説明したように、制御情報は、パケット送信タイミングと同期した送信、およびパケット送信タイミングと非同期送信、のいずれにも対応できる。
【００６６】
図５および図６に示したＲＤ変換選択用の情報の通常ＲＤ、および制御情報ＲＤ、選択ＲＤ、制御情報の内容は、例えば、変換部１０２（１２２）のメモリ等にあらかじめ格納保持しておくことができる。
【００６７】
（制御情報の受信処理例）
次に、制御情報の受信処理例について説明する。受信装置（装置Ｂ）１２１は、送信装置（装置Ａ）１０１から入力される１０Ｂデータを順次変換部１２２で１０Ｂ→８Ｂ変換を行い、８ＢデータとＲＤ符号の抽出を行う。８Ｂのデータは通常のデータ通信として使用し、ＲＤ符号を制御情報として抽出し使用する。ＲＤ符号は、（＋）を“１”、（−）を“０”とする。
【００６８】
パケット同期設定時（図５）の場合は、受信装置１２１の変換部１２２は、プリアンブルの先頭のＲＤ−（１０Ｂデータ）からＡＡ（８Ｂデータ）とＲＤ符号の“０”の抽出を行う。ＡＡ（８Ｂデータ）は制御情報としては未使用でＲＤ符号の“０”を使用する。
【００６９】
次に、変換部１２２は、プリアンブルの２番目のＲＤ−からＡＡとＲＤ符号の“０”の抽出を行う。次に、プリアンブルの３番目のＲＤ＋からＡＡとＲＤ符号の“１”の抽出を行い、その後に続く９個のデータより制御部１２３のスタートデリミタパターン検出部１２４ｄは、合計１２ｂｉｔの“００１１００１１０１０１”のスタートデリミタパターンの検出を行う。
【００７０】
制御情報の先頭（スタートデリミタパターン）の検出により、その後に続く種別、レングス、制御情報、エンドデリミタパターン、ＣＲＣを検出するためのタイミング信号をスタートデリミタパターン検出部１２４ｄから各検出部１２４ａ〜１２４ｃに出力を行う。またこれらの全てのデータをＲＤ符号から抽出する。
【００７１】
スタートデリミタに続き、種別検出部１２４ｃは、種別（４ｂｉｔ）の“０００１”の検出を行い、制御情報レングス検出部１２４ｂは、レングス（５ｂｉｔ）の“１０１０１”の検出を行う。そして、レングスの“１０１０１”＝２１より、その後に続く２１ｂｉｔを制御情報と見なして、制御情報抽出部１２５は、制御情報（２１ｂｉｔ）の“０１０１０１０１０１０１０１０１０１０１０”の検出を行う。
【００７２】
次に、エンドデリミタパターン検出部１２４ａがエンドデリミタパターン（１２ｂｉｔ）の“１１００１１００１０１０”の検出を行い、ＣＲＣチェック部１２６がＣＲＣ（１０ｂｉｔ）“１０１０１０１０１０”の検出を行う。これらエンドデリミタ、ＣＲＣまでを検出すると、制御情報の受信完了と判断する。
【００７３】
最後に、ＣＲＣチェック部１２６でＣＲＣチェックを行い制御情報の正常性を判断し、正常であれば制御情報抽出部１２５が制御情報を取り込み、正常でなければ取り込まない処理を行う。
【００７４】
また、パケット非同期設定時（図６）の場合は、受信装置１２１の変換部１２２は、ＩＤＬＥの途中（表の上から５つ目）のＲＤ−（１０Ｂデータ）からＢＣ（８Ｂデータ）とＲＤ符号の“０”の抽出を行う。次にその後のＩＤＬＥのＲＤ−からＣ５とＲＤ符号の“０”の抽出を行う。
【００７５】
そして、上述したパケット同期設定時と同様に、変換部１２２は、順次その後のＲＤ符号の抽出を行い、制御部１２３のスタートデリミタパターン検出部１２４ｄは、合計１２ｂｉｔの“００１１００１１０１０１”のスタートデリミタパターンの検出を行う。その後は、制御部１２３の各部がパケット同期設定時と同様の処理を行う。
【００７６】
受信装置（装置Ｂ）１２１では、制御情報の抽出開始のタイミングがパケットに同期している（図５）、パケットに同期していない（図６）の違いがあるのみで、いずれの場合の処理動作は同じとなる。
【００７７】
図７は、実施の形態１にかかるパケット伝送システムの制御情報の送受信処理例を示すフローチャートである。送信装置（装置Ａ）１０１および受信装置（装置Ｂ）１２１のそれぞれの制御情報の送受信処理例を説明する。
【００７８】
はじめに、送信装置（装置Ａ）１０１の処理を説明すると、例えば、制御部１０３には、制御情報の送信タイミングの情報が入力される。送信する制御情報がある場合、制御部制１０３には、御情報の送信タイミングとして、制御情報ＲＤのモードにおいてパケット同期、あるいはパケット非同期の設定が入力される。また、制御情報を送信しない場合等には、制御部１０３には、通常ＲＤのモードに相当する設定無しの設定が入力される（ステップＳ７０１）。
【００７９】
そして、制御部１０３は、同期非同期の設定判断を行う（ステップＳ７０２）。制御部１０３は、制御情報ＲＤのモードのうち同期設定時にはステップＳ７０３の処理に移行し、制御情報ＲＤのモードのうち非同期設定時にはステップＳ７０４の処理に移行し、通常ＲＤのモードである設定無し時にはステップＳ７０７の処理に移行する。
【００８０】
ステップＳ７０３では、制御部１０３は、プリアンブルの検出を行う（ステップＳ７０３）。この後、制御部１０３は、制御情報タイミングを生成する（ステップＳ７０４）。この後、制御部１０３は、制御情報に関する各種の情報として、スタートデリミタの生成、種別の生成、レングスの生成、制御情報の生成、エンドデリミタの生成を行う（ステップＳ７０５）。
【００８１】
この後、制御部１０３は、上記制御情報に関する各種情報（スタートデリミタ、種別、レングス、制御情報、エンドデリミタ）を結合し、結合後の情報でＣＲＣを生成し（ステップＳ７０６）、ＲＤ符号極性設定の情報を変換部１０２に出力する。
【００８２】
ステップＳ７０７では、変換部１０２により８Ｂ／１０Ｂ変換と、制御部１０３のＲＤ符号極性設定の情報に基づくＲＤ符号生成を行う（ステップＳ７０７）。変換部１０２は、この８Ｂ／１０Ｂ変換の際に、制御情報ＲＤのモード（同期／非同期設定有り）と、通常ＲＤのモード（設定無し）とを切り替えてＲＤ符号の生成を行う。そして、変換部１０２は、１０Ｂ変換されたＲＤ符号を出力（送信）する（ステップＳ７０８）。
【００８３】
次に、受信装置（装置Ｂ）１２１の処理を説明すると、変換部１２２は、送信装置（装置Ａ）１０１で１０Ｂ変換されたＲＤ符号を受信し（ステップＳ７１１）、１０Ｂ／８Ｂ変換を行い、ＲＤ符号を抽出し（ステップＳ７１２）、制御部１２３に出力する。
【００８４】
次に、制御部１２３は抽出されたＲＤ符号に基づき、スタートデリミタパターンを検出し（ステップＳ７１３）、制御情報に関する各種情報（種別、レングス、エンドデリミタ、制御情報、ＣＲＣ）をそれぞれ検出する（ステップＳ７１４）。
【００８５】
この後、制御部１２３は、ＣＲＣチェックを行い（ステップＳ７１５）、ＣＲＣチェック結果がＯＫであれば（ステップＳ７１６：ＯＫ）、制御情報を取り込み受信完了と判断する（ステップＳ７１７）。一方、ＣＲＣチェック結果がＮＧであれば（ステップＳ７１６：ＮＧ）、制御情報を取り込まず、受信完了と判断する（ステップＳ７１８）。
【００８６】
（制御情報の内容例）
送信装置（装置Ａ）１０１から受信装置（装置Ｂ）１２１に対し、各種の情報を制御情報として伝送できる。送信装置（装置Ａ）１０１の制御情報とは、装置Ａ内で発生した警報情報や障害情報など装置Ａの状態表示、または、装置Ａ→装置Ｂへの設定情報である。上述したように、制御情報レングスは５ｂｉｔであり（図５，図６参照）、最大３２ｂｉｔの制御情報を送信することができる。
【００８７】
図８は、実施の形態１にかかるパケット伝送システムの制御情報の内容例を示す図表である。制御情報レングスが２１ｂｉｔである場合の制御情報の一例を示す。
【００８８】
例えば、制御情報ｂｉｔ“０”は装置Ａの内部ＣＰＵ故障の有無を示し、ｂｉｔ“１”は装置Ａの内部メモリ異常の有無を示す。また、ｂｉｔ“１７”〜“２０”では、それぞれ装置Ａの装置モード（所定機能）１〜４のＯＮ／ＯＦＦを示す。
【００８９】
但し、図８は制御情報の一例であり、制御情報のビット数、制御情報の意味は、図８の記載に限定されない。
【００９０】
以上説明した実施の形態１によれば、８Ｂ／１０Ｂ変換を使用してパケットデータの通信を行う際、送信装置は、ＲＤ符号の規定を切り替えることで、伝送路上を伝送させるデータ（パケット）に制御情報を付加できる。この際、データに付加した制御情報は、ＲＤ符号のＲＤ−とＲＤ＋の組み合わせだけで意味を持たせているため、１０Ｂ変換されたパケットのデータのボリュームのまま、増加しないで制御情報を伝送できる。
【００９１】
これにより、パケットが伝送される伝送路の帯域を圧迫することなく、データの送信とともに、制御情報を送信できるようになる。また、制御情報の伝送のためにデータ送信用の伝送路のほかに伝送路を使用することなく、制御情報を伝送できる。
【００９２】
また制御情報の送信タイミングは、データと同期あるいは非同期させることができ、いずれも簡単に切り替えできる。さらには、制御情報を送信しない設定無しの場合、既存の８Ｂ／１０Ｂ変換のみを行ったデータの送信に切り替えることができる。このように、実施の形態では、既存の仕様を変更することなく、制御情報を任意のタイミングで送信できるようになる。
【００９３】
（実施の形態２）
実施の形態２では、単一装置内での制御情報の送受信の例を説明する。本発明は装置間通信だけでなく、バックバード等のＬＩＵ（Ｌｉｎｅ  Ｉｎｔｅｒｆａｃｅ  Ｕｎｉｔ）間通信にも適用可能である。
【００９４】
図９は、実施の形態２にかかるデータおよび制御情報の伝送構成例を示す図である。図９において、装置Ｃ（９００）は、ＬＩＵ＿Ａ（９０１）と、ＬＩＵ＿Ｂ（９１１）とが装置内の伝送路９２１で接続されている。
【００９５】
ＩＧ（Ｉｎｇｒｅｓｓ）側はパケットが入力される側を意味し、ＥＧ（Ｅｇｒｅｓｓ）側はパケットが出力される側を意味する。図９では、ネットワークＡからデータが入力されるＬＩＵ＿Ａ（９０１）をＩＧ側、ネットワークＢへデータを出力するＬＩＵ＿Ｂ（９１１）をＥＧ側としている。
【００９６】
各ＬＩＵ９０１，９１１は、イーサネットレイヤ２処理を行うＬ２処理部９０２と、８Ｂ／１０Ｂ処理を行う８Ｂ／１０Ｂ変換部９０３と、１０Ｂ／８Ｂ処理を行う１０Ｂ／８Ｂ変換部９０４と、別線付加情報制御部９０５と、を含む。別線付加情報制御部９０５同士は、ＬＩＵ間のデータ用の伝送路９２１ａとは別の伝送路９２１ｂを用いて制御情報を伝送する。
【００９７】
上記構成例の処理動作について説明すると、ネットワークＡから入力されるパケットは、ＩＧ側のＬＩＵ＿Ａ（９０１）でＬ２処理を行い、８Ｂ／１０Ｂ変換を行って、ＥＧ側のＬＩＵ＿Ｂ（９１１）へパケットを送信する。
【００９８】
１０Ｂデータを受信したＥＧ側のＬＩＵ＿Ｂ（９１１）は１０Ｂ／８Ｂ変換を行い、Ｌ２処理を行ってネットワークＢへパケットを出力する。ネットワークＢ→ネットワークＡ方向も同様の処理を行う。
【００９９】
また、装置Ｃ（９００）内部のみ使用する付加情報（詳細な信号は割愛）は、別線付加情報として、物理的な別の伝送路９２１ｂにより、ＩＧとＥＧ間で通信する。
【０１００】
図９には、ＬＩＵを１：１接続した例を示したが、本発明は１：１接続に限定するものではなく、Ｎ：Ｎ接続も適用可能である。
【０１０１】
Ｌ２処理は、リンクアグリゲーション・ロードバランサ機能、帯域制御、クラス毎のバッファメモリおよびメモリ制御、ＱｏＳ（Ｑｕａｌｉｔｙ  ｏｆ  Ｓｅｒｖｉｃｅ）制御等を含む。但し、本発明ではＬ２内部処理そのものは直接関係しないため、ここでの説明は省略する。
【０１０２】
（実施の形態３）
実施の形態３では、本発明をリンクアグリゲーション・ロードバランサに適用した場合について説明する。図１０は、既存のリンクアグリゲーション・ロードバランサの構成例を示す図である。図１０には、Ｐｏｒｔ１，Ｐｏｒｔ２をペアとしたリンクアグリゲーション構成であり、ＩＧ側１００１からＥＧ側１０１１へのデータ送信を示す。
【０１０３】
ＩＧ側１００１において、Ｐｏｒｔ１，Ｐｏｒｔ２に対し帯域制御部１００２で帯域制御を行い、変換部１００３で８Ｂ／１０Ｂ変換してＥＧ側１００２へ送信する。ＥＧ側１０１１では、ＩＧ側１００１から送信されたデータを変換部１０１２で１０Ｂ／８Ｂ変換し、帯域制御部１０１３で帯域監視を行う。ＥＧ→ＩＧ方向については、変換部１０１４で８Ｂデータを８Ｂ／１０Ｂ変換し、ＩＧ側１００１へ送信し、変換部１００４で１０Ｂ／８Ｂ変換を行い８Ｂデータに戻す。
【０１０４】
既存の技術において、例えばＰｏｒｔ１とＰｏｒｔ２をリンクアグリゲーションのペアとし１００Ｍｂｐｓ＋１００Ｍｂｐｓ＝２００Ｍｂｐｓの帯域を割り当てたとする。この場合、負荷分散がうまくいかず片側に帯域が偏り２００Ｍｂｐｓの出力帯域を使い切れずに無駄が生じる場合があった。
【０１０５】
図１１は、実施の形態３にかかるリンクアグリゲーション・ロードバランサの構成例を示す図である。実施の形態３では、図１０と同様のリンクアグリゲーション構成でＩＧ側１００１からＥＧ側１０１１へデータ送信する。図中点線は、制御信号の流れを示す。
【０１０６】
そして、ＥＧ側１０１１の帯域制御部１０１３による帯域監視の結果は、制御情報を用いてＩＧ側１００１の帯域制御部１００２へフィードバックする。このため、ＥＧ側１０１１にＲＤ符号制御情報生成部１０１５を設け、ＩＧ側１００１にＲＤ符号制御情報抽出部１００５を設ける。
【０１０７】
ＥＧ側１０１１は、ＲＤ符号制御情報生成部１０１５により、帯域制御部１０１３によるリンクアグリゲーション・ロードバランサの状態を１０ＢデータのＲＤ符号とし、所定の制御情報フォーマットによりＩＧ側１００１へ送信する。ＩＧ側１００１は、ＲＤ符号制御情報抽出部１００５によりリンクアクリゲーション・ロードバランサ状態を抽出し、帯域制御部１００２に通知する。帯域制御部１００２は、リンクアグリゲーション・ロードバランサの状態をフィードバックし、Ｐｏｒｔ１，Ｐｏｒｔ２の帯域制御を行う。
【０１０８】
図１２は、実施の形態３で用いる制御情報フォーマットの例を示す図である。制御情報１２０１として、種別（４ｂｉｔ）：０００１、制御情報レングス（５ｂｉｔ）：１０１００、制御情報（２０ｂｉｔ）：ｐｏｒｔ１の帯域情報とｐｏｒｔ２の帯域情報を配置した場合の例を示す。なお、図１２では、上述の図５に示したスタートデリミタ、エンドデリミタ、ＣＲＣを省略した制御情報（８Ｂ／１０Ｂ変換前のフォーマット）を記載してある。
【０１０９】
実施の形態３では、リンクアグリゲーション・ロードバランサ状態をＥＧ側１０１１からＩＧ側１００１へ通知する例である。制御情報は、現在の状態を通知するため、パケットの送信タイミングと連動せずに、パケット送信タイミングとは関係なく送信する。ＥＧ側１０１１の状態をＩＧ側１００１へ通知することにより、ＩＧ側１００１は現リンクアクリゲーション・ロードバランサ状態を知ることができ、リアルタイムに帯域制御の補正を行い、リンクアグリゲーション・ロードバランサの最適な負荷分散が行えるようになる。
【０１１０】
（実施の形態４）
実施の形態４では、本発明をクラス単位のバッファ制御に適用した場合について説明する。図１３は、既存のクラス単位のバッファ制御の構成例を示す図である。ＩＧ側１００１からＥＧ側１０１１へパケット送信し、クラス単位のバッファメモリ１３１４へ格納する構成例である。
【０１１１】
ＩＧ側１００１は、送信制御部１３０２によりデータを８Ｂ／１０Ｂ変換部１３０３で８Ｂ／１０Ｂ変換し、ＥＧ側１０１１へ送信する。ＥＧ側１０１１は、入力されたデータを１０Ｂ／８Ｂ変換部１３１２で１０Ｂ／８Ｂ変換後、クラス単位のバッファ制御部１３１３により、クラス毎の領域のバッファメモリ１３１４へ格納する。
【０１１２】
図１３において、あるクラスのデータ量がクラス単位の閾値容量を超過すると、クラス単位のバッファ制御部１３１３は、ＩＧ側１００１に対して送信停止要求のポーズ（Ｐａｕｓｅ）フレームを出力する。Ｐａｕｓｅフレームは、８Ｂ／１０Ｂ変換部１３１５で８Ｂ／１０Ｂ変換され、１０Ｂ／８Ｂ変換部１３０４で１０Ｂ／８Ｂ変換され、送信制御部１３０２に通知される。
【０１１３】
Ｐａｕｓｅフレームはパケットとして通知され、あるクラスのデータ量が増加し、あらかじめ設定した閾値を超過するとＰａｕｓｅフレームを通知する。この閾値超過が頻繁に発生すると、対応してＰａｕｓｅフレームの送信回数も増加する。その結果、Ｐａｕｓｅフレームの送信回数分、ユーザ帯域を消費する。
【０１１４】
図１４は、実施の形態４にかかるクラス単位のバッファ制御の構成例を示す図である。実施の形態４では、図１３と同様の構成に対し、ＲＤ符号制御情報生成部１４０５と、ＲＤ符号制御情報抽出部１４１６の機能を追加する。バッファ制御部１４１３は、制御情報によるクラス単位の再割り当てを行い、クラス毎のバッファ容量を再割り当てすることにより、バッファを有効活用し、Ｐａｕｓｅフレーム送信回数を抑制する。図中点線は、制御信号の流れを示す。
【０１１５】
そして、ＩＧ側１００１ではＲＤ符号制御情報生成部１４０５により、クラス毎のデータ量の情報をＲＤ変換し、所定の制御情報フォーマットによりＥＧ側１０１１へ送信する。ＥＧ側１０１１は、受信したデータを１０Ｂ／８Ｂ変換部１３１２で１０Ｂ／８Ｂ変換を行い、ＲＤ制御情報抽出部１４１６でＲＤ抽出を行う。ＲＤ抽出データ（クラス毎のデータ量）によりバッファ制御部１４１３でクラス単位のバッファメモリの割り当ての再分配を行う。
【０１１６】
これにより、データ量に応じてバッファ量を割り当ててバッファを有効活用でき、Ｐａｕｓｅフレーム出力回数の抑制が可能となる。すなわち、Ｐａｕｓｅフレームによるユーザ帯域圧迫を抑制できる。
【０１１７】
図１５は、実施の形態４で用いる制御情報フォーマットの例を示す図である。制御情報１５０１として、種別（４ｂｉｔ）：００１０、制御情報レングス（５ｂｉｔ）：１０１００、制御情報（２０ｂｉｔ）：クラス毎の使用量を配置した場合の例を示す。
【０１１８】
実施の形態４では、クラス毎のデータ量をＩＧ側１００１→ＥＧ側１０１１へ通知する。クラス毎のデータ量は、現情報を通知する必要がありパケットの送信タイミングに連動せず、パケットの送信タイミングとは関係なくリアルタイムに送信する。ＩＧ側１００１の状態をＥＧ側１０１１へ通知することにより、ＥＧ側１０１１でクラス毎にバッファの再割り当てを行うことで、バッファ溢れの抑止、Ｐａｕｓｅフレームによるユーザ帯域消費の抑制が行えるようになる。
【０１１９】
（実施の形態５）
実施の形態５では、本発明をＬＩＵ間の付加情報に適用した場合について説明する。図１６は、既存のＬＩＵ間の付加情報伝送の構成例を示す図である。既存の技術では、ＬＩＵ間の付加情報はユーザパケットに付加して送信している。
【０１２０】
ＩＧ側１００１の付加情報制御部１６０１がパケットに付加情報を追加し、８Ｂ／１０Ｂ変換部１６０２で８Ｂ／１０Ｂ変換を行い、ＥＧ側１０１１へ送信する。ＥＧ側１０１１は、１０Ｂ／８Ｂ変換部１６１２で１０Ｂ／８Ｂ変換を行い、付加情報制御部１６１３で付加情報の抽出を行う。
【０１２１】
図１７は、実施の形態５で用いる制御情報フォーマットの例を示す図である。ＩＧ／ＥＧのＬＩＵ間には装置内のみで使用する情報があり、この付加情報をｎバイトと仮定する。この付加情報は、図１７に示すようにユーザのパケット１７０１の先頭に付加して送信する。
【０１２２】
付加情報分の帯域を確保するために、既存の技術では、装置内の速度を上げることで対応している。例えば、ユーザパケットが８０バイト、ＩＦＧ（インタフレームギャップ）が２０バイトで常時通信している想定で考えると、パケット周期は８０バイト＋２０バイト＝１００バイトとなる。この時、付加情報を２０バイト追加すると、パケット周期は１２０バイトとなり、１．２倍のパケット周期となる。この帯域を確保するには装置内の伝送速度を１．２倍に上げる必要がある。しかしながら、伝送速度を上げることで消費電力も増加してしまう。
【０１２３】
図１８は、実施の形態５にかかるＬＩＵ間の付加情報伝送の構成例を示す図である。図１８に示すように、従来構成に対し、ＲＤ符号制御情報生成部１８０３と、ＲＤ符号制御情報抽出部１８１４の機能を追加する。図中点線は、制御信号の流れを示す。
【０１２４】
付加情報は、ＲＤ符号制御情報生成部１８０３によりＲＤに変換し、所定の制御情報フォーマットでＥＧ側１０１１へ送信する。ＥＧ側１０１１は、ＲＤ符号制御情報抽出部１８１４により付加情報を抽出する。
【０１２５】
これにより、既存の技術でパケットに付加して送信していた付加情報について、実施の形態５では、１０ＢデータのＲＤで送信することにより、ＬＩＵ間で付加情報をやりとりできる。
【０１２６】
図１９は、実施の形態５で用いる制御情報フォーマットの例を示す図である。制御情報１９０１として、種別（４ｂｉｔ）：００１１、制御情報レングス（５ｂｉｔ）：１０１００、制御情報（２０ｂｉｔ）：付加情報を配置した場合の例を示す。
【０１２７】
実施の形態５で送信する付加情報は、パケットと関連する情報であるため、パケットと同期させて送信する。上述したように、既存の技術では、付加情報をパケット先頭に付加していたためパケット長が長くなる。その分の伝送帯域を確保するために伝送速度を上げることで対応しており、伝送速度アップにより消費電力も増加した。
【０１２８】
これに対し、実施の形態５では、１０ＢコードのＲＤで付加情報を送信するため、パケット長に影響はない。そのため、伝送速度を上げる必要がなく付加情報の通信が可能となり、消費電力の増加を防ぐことができる。
【０１２９】
（実施の形態６）
実施の形態６では、本発明をＬＩＵ間の別線情報に適用した場合について説明する。実施の形態５の既存技術では付加情報をパケット先頭に付加することを説明した。図２０は、既存技術によるＬＩＵ間の主信号と別の伝送路で付加情報（別線情報）を送信する構成例を示す図である。図２０に示す既存の技術では、パケット通信を行う主信号の伝送路２０２１とは別に、ＬＩＵ間で別線情報を通信するための物理的な別線（伝送路）２０２２を設ける必要がある。その結果、ＬＩＵに別線を収容するための物理的なスペース確保が必要となる。
【０１３０】
パケット通信は、８Ｂ／１０Ｂ変換部２００２で８Ｂ／１０Ｂ変換し、１０Ｂ／８Ｂ変換部２０１２で１０Ｂ／８Ｂ変換する。ＩＧ側１００１の別線情報制御部２００３と、ＥＧ側１０１１の別線情報制御部２０１３で別線情報を通信する場合、別線を収容するためにＩＧ側１００１およびＥＧ側１０１１にそれぞれ物理的な実装スペース２００４，２０１４を確保する必要が生じる。例えば、別線で１００ビットの情報を通信する場合、別線が１００本必要となり、１００本分の実装スペース確保が必要となる。
【０１３１】
図２１は、実施の形態６にかかる別線情報を制御情報として伝送する構成例を示す図である。図２１に示すように、既存の構成に対し、ＲＤ符号制御情報生成部２１０４と、ＲＤ符号制御情報抽出部２１１４の機能を追加する。図中点線は、制御信号の流れを示す。
【０１３２】
ＩＧ側１００１の別線情報は、ＲＤ符号制御情報生成部２０１４によりＲＤ変換し、所定の制御情報フォーマットによってＥＧ側１０１１へ送信する。ＥＧ側１０１１は、ＲＤ符号制御情報抽出部２１１４により別線情報を抽出し、別線情報制御部２０１３に出力する。
【０１３３】
このように、制御情報（別線情報）を１０ＢデータのＲＤで送信することで、既存技術のように物理的な別線を収容する実装スペース２００４，２０１４の確保が不要となる。
【０１３４】
図２２は、実施の形態６で用いる制御情報フォーマットの例を示す図である。制御情報２２０１として、種別（４ｂｉｔ）：００１１、制御情報レングス（５ｂｉｔ）：１０１００、制御情報（２０ｂｉｔ）：別線情報を配置した場合の例を示す。
【０１３５】
実施の形態６において、図２２に示すフォーマットで送信する別線情報は、パケットと関連する情報であるため、パケットと同期させて送信する。
【０１３６】
（実施の形態７）
実施の形態７では、本発明をウェイクアップ（Ｗａｋｅｕｐ）／スリープ（Ｓｌｅｅｐ）処理に適用した場合について説明する。図２３は、既存技術によるＬ２処理の構成例を示す図である。図２３に示す既存の技術では、Ｌ２送信処理部２３０１でレイヤ２（Ｌ２）送信処理を行い、８Ｂ／１０Ｂ変換部２３０２で８Ｂ／１０Ｂ変換を行い、ＥＧ側１０１１へパケットを送信する。ＥＧ側１０１１は、１０Ｂ／８Ｂ変換部２３１２で１０Ｂ／８Ｂ変換を行い、Ｌ２受信処理部２３１３でＬ２受信処理を行う。
【０１３７】
既存技術では、Ｌ２受信処理はパケット有無に関わらず常時動作することになる。図２３は、制御情報の送信方向をＩＧ→ＥＧ方向として示したが、ＥＧ→ＩＧ方向についての動作も同様である。
【０１３８】
図２４は、実施の形態７にかかるＬ２処理の構成例を示す図である。図２４に示すように、既存の構成に対し、Ｗａｋｅｕｐ／Ｓｌｅｅｐ指示部２４０１と、ＲＤ符号制御情報生成部２４０２と、ＲＤ符号制御情報抽出部２４１１と、Ｗａｋｅｕｐ／Ｓｌｅｅｐ制御部２４１２の機能を追加する。図中点線は、制御信号の流れを示す。
【０１３９】
実施の形態７では、パケット通信時については、既存技術と同様に常時Ｌ２処理を実施する。そして、パケット未通信時、ＩＧ側１００１のＬ２送信処理部２３０１でＬ２送信処理を停止する場合は、Ｗａｋｅｕｐ／Ｓｌｅｅｐ指示部２４０１に対するＳｌｅｅｐ指示を行う。これにより、Ｗａｋｅｕｐ／Ｓｌｅｅｐ指示部２４０１は、ＲＤ符号制御情報生成部２４０２へＳｌｅｅｐ指示情報を渡し、８Ｂ／１０Ｂ変換部２３０２は８Ｂ／１０Ｂ変換により、Ｓｌｅｅｐ指示を１０ＢデータのＲＤ信号としてＥＧ側１０１１へ送信する。
【０１４０】
ＥＧ側１０１１は、１０Ｂ／８Ｂ変換部２３１２が１０Ｂ／８Ｂ変換を行い、ＲＤ符号制御情報抽出部２４１１によりＲＤ信号から制御情報を抽出し、Ｗａｋｅｕｐ／Ｓｌｅｅｐ制御部２４１２でＳｌｅｅｐ指示を抽出する。これにより、Ｗａｋｅｕｐ／Ｓｌｅｅｐ制御部２４１２からＬ２受信処理部２３１３にＳｌｅｅｐ指示を行い、Ｌ２受信処理部２３１３はスリープ状態（Ｓｌｅｅｐ）となる。Ｌ２受信処理部２３１３のＬ２受信処理をＳｌｅｅｐにすることで、データ未通信時は消費電力を抑制できる。
【０１４１】
パケット通信を開始する場合は、同様にしてＩＧ側１００１がＷａｋｅｕｐ指示を実施することでＥＧ側１０１１のＬ２受信処理部２３１３を動作状態（Ｗａｋｅｕｐ）にする。図２４では制御情報の送信方向をＩＧ→ＥＧ方向として示したが、ＥＧ→ＩＧ方向についての動作も同様である。
【０１４２】
図２５は、実施の形態７で用いる制御情報フォーマットの例を示す図である。制御情報２５０１として、種別（４ｂｉｔ）：０１００、制御情報レングス（５ｂｉｔ）：１０１００、制御情報（２０ｂｉｔ）：Ｗａｋｅｕｐ／Ｓｌｅｅｐ指示を配置した場合の例を示す。
【０１４３】
実施の形態７で説明したＷａｋｅｕｐ／Ｓｌｅｅｐ指示はパケット送信タイミングとは関係なく指示する必要があるため、制御情報はパケット連動ではなく、非同期に送信することになる。そしてＬ２受信処理部２３１３について、パケット送信無し時はＳｌｅｅｐさせ、パケット送信開始時にＷａｋｅｕｐさせることにより、Ｌ２受信処理部２３１３のＬ２受信処理が必要な時のみ動作させることができるようになる。これにより、ＥＧ側１０１１の消費電力を抑制できるようになる。
【０１４４】
以上説明した各実施の形態によれば、８Ｂ／１０Ｂ通信インタフェースに適用される１０ＢコードのＲＤを、装置間の制御情報に使用することで、ユーザ帯域を消費することなく制御情報を伝送できるようになる。
【０１４５】
例えば、イーサネットの伝送装置では、受信側での信号復元、微弱信号の増幅、到達保障距離の観点で符号化方式が規格化されており、制御情報の伝送をレイヤ１内のＰＣＳ（物理符号化副層）により符号化および復号化している。この点、各実施の形態によれば、制御情報の伝送のために別経路を追加することなく、またユーザ帯域を消費することがないため、回線リソースが増加することなく制御情報を伝送することができるようになる。
【０１４６】
また、実施の形態では、イーサネット等のネットワークシステムにおける装置間のパケットのデータ通信にかかる例を説明したが、本発明はこれに限らず、単一装置内に設けられるＬＩＵ間の通信、プリント基板（ＰＣＢ：Ｐｒｉｎｔｅｄ  Ｃｉｒｃｕｉｔ  Ｂｏａｒｄ）とデバイス間のデータ通信にも同様に適用できる。
【０１４７】
また、各実施の形態では、装置間の制御情報の伝送について説明したが、この制御情報は、主信号である装置間で伝送するパケット（第１のデータ）と異なる他の情報（第２のデータ）であればよく、第２のデータが示す内容は制御情報に限らない。
【０１４８】
なお、本実施の形態で説明した制御情報の伝送にかかる方法は、あらかじめ用意された制御プログラムを対象となる機器（送信装置および受信装置）のコンピュータ（ＣＰＵ等のプロセッサ）で実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【０１４９】
上述した実施の形態に関し、さらに以下の付記を開示する。
【０１５０】
（付記１）第１のデータを８Ｂ／１０Ｂ変換して送信する変換部を有する送信装置において、
第１の通信モードでは、前記変換部に対し、第１のランニング・ディスパリティ（ＲＤ）のルールに従って前記第１のデータを変換させ、
前記第１のデータの送信とともに第２のデータを送信する第２の通信モードでは、第２のＲＤのルールに切り替え、前記変換部に対し、前記第２のデータの内容を含む８Ｂ／１０Ｂ変換を行わせる制御部を備えたことを特徴とする送信装置。
【０１５１】
（付記２）前記制御部は、
前記第１の通信モードでは、前記変換部に対し、前記ＲＤの−と＋のシンボルを交互に送信させ、
前記第２の通信モードでは、前記変換部に対し、前記ＲＤの−と＋のシンボルの送信順を変更し、前記ＲＤの−と＋のシンボルをあらかじめ定めた組み合わせ順で送信させることを特徴とする付記１に記載の送信装置。
【０１５２】
（付記３）前記制御部は、前記第２の通信モードでは、
前記第２のデータを前記第１のデータの送信タイミングと同期または非同期で送信し、
前記同期時には、前記第１のデータのプリアンブルを検出して前記第１のデータの先頭から前記第２のデータを含み送信させ、
前記非同期時には、前記第１のデータに対し任意のタイミングで前記第２のデータを含み送信させることを特徴とする付記１または２に記載の送信装置。
【０１５３】
（付記４）前記制御部は、前記第２の通信モードでは、
前記第２のデータの送信時には、前記第２のデータのスタートデリミタ、種別、レングス、情報の内容、エンドデリミタ、ＣＲＣの各情報を、前記ＲＤの−と＋のシンボルをあらかじめ定めた組み合わせ順で送信させることを特徴とする付記２または３に記載の送信装置。
【０１５４】
（付記５）前記制御部は、前記第２のデータとして、装置間またはＬＩＵ（Ｌｉｎｅ  Ｉｎｔｅｒｆａｃｅ  Ｕｎｉｔ）間でやりとりする制御情報を送信または受信することを特徴とする付記１〜４のいずれか一つに記載の送信装置。
【０１５５】
（付記６）前記制御部は、前記制御情報として、受信装置側の帯域制御情報を受信することを特徴とする付記５に記載の送信装置。
【０１５６】
（付記７）前記制御部は、前記制御情報として、受信装置側のクラス単位のバッファ割り当ての制御情報を受信することを特徴とする付記５に記載の送信装置。
【０１５７】
（付記８）前記制御部は、前記制御情報として、前記ＬＩＵ間でやりとりする付加情報を送信することを特徴とする付記５に記載の送信装置。
【０１５８】
（付記９）送信装置から送信された第１のデータを受信し、１０Ｂ／８Ｂ変換する変換部を有する受信装置において、
第１の通信モードでは、前記変換部に対し、第１のランニング・ディスパリティ（ＲＤ）のルールに従って前記第１のデータを変換させ、
前記第１のデータの受信とともに第２のデータを受信する第２の通信モードでは、第２のＲＤのルールに切り替え、前記変換部に対し、前記第１のデータから前記第２のデータの内容を抽出する１０Ｂ／８Ｂ変換を行わせる制御部を備えたことを特徴とする受信装置。
【０１５９】
（付記１０）前記制御部は、
前記第１のデータの受信時に、前記第２のデータのスタートデリミタを検出することにより、前記第２のデータの受信処理を行うことを特徴とする付記９に記載の受信装置。
【０１６０】
（付記１１）第１のデータを８Ｂ／１０Ｂ変換して送信する変換部を有する送信装置と、前記第１のデータを受信し、１０Ｂ／８Ｂ変換する変換部を有する受信装置とを含むパケット伝送システムにおいて、
前記送信装置は、
第１の通信モードでは、前記変換部に対し、第１のランニング・ディスパリティ（ＲＤ）のルールに従って前記第１のデータを変換させ、
前記第１のデータの送信とともに第２のデータを送信する第２の通信モードでは、第２のＲＤのルールに切り替え、前記変換部に対し、前記第２のデータの内容を含む８Ｂ／１０Ｂ変換を行わせる制御部を備え、
前記受信装置は、
前記第１の通信モードでは、前記変換部に対し、第１のランニング・ディスパリティ（ＲＤ）のルールに従って前記第１のデータを変換させ、
前記第１のデータの受信とともに第２のデータを受信する第２の通信モードでは、第２のＲＤのルールに切り替え、前記変換部に対し、前記第１のデータから前記第２のデータの内容を抽出する１０Ｂ／８Ｂ変換を行わせる制御部を備えたことを特徴とするパケット伝送システム。
【０１６１】
（付記１２）前記送信装置の制御部は、
前記第１の通信モードでは、前記変換部に対し、前記ＲＤの−と＋のシンボルを交互に送信させ、
前記第２の通信モードでは、前記変換部に対し、前記ＲＤの−と＋のシンボルの送信順を変更し、前記ＲＤの−と＋のシンボルをあらかじめ定めた組み合わせ順で送信させることを特徴とする付記１１に記載のパケット伝送システム。
【符号の説明】
【０１６２】
１００  パケット伝送システム
１０１  送信装置
１０２，１２２  変換部
１０３，１２３  制御部
１０４  プリアンブル検出部
１０５  制御情報タイミング生成部
１０６  情報生成部
１０７  結合部
１０８  ＣＲＣ生成部
１２１  受信装置
１２４  検出部
１２５  制御情報抽出部
１２６  ＣＲＣチェック部
１３０  伝送路
３００  伝送装置
【図１】
2017220835.tif 000003
【図２】
2017220835.tif 000004
【図３】
2017220835.tif 000005
【図４】
2017220835.tif 000006
【図５】
2017220835.tif 000007
【図６】
2017220835.tif 000008
【図７】
2017220835.tif 000009
【図８】
2017220835.tif 000010
【図９】
2017220835.tif 000011
【図１０】
2017220835.tif 000012
【図１１】
2017220835.tif 000013
【図１２】
2017220835.tif 000014
【図１３】
2017220835.tif 000015
【図１４】
2017220835.tif 000016
【図１５】
2017220835.tif 000017
【図１６】
2017220835.tif 000018
【図１７】
2017220835.tif 000019
【図１８】
2017220835.tif 000020
【図１９】
2017220835.tif 000021
【図２０】
2017220835.tif 000022
【図２１】
2017220835.tif 000023
【図２２】
2017220835.tif 000024
【図２３】
2017220835.tif 000025
【図２４】
2017220835.tif 000026
【図２５】
2017220835.tif 000027